(57)【要約】  【課題】ゴルファがゴルフクラブを購入する際、各ゴルファのグリップの仕方やゴルフボールの球筋に対応して適合するゴルフクラブを選択できるようにゴルフクラブの評価を行う。  【解決手段】ゴルフクラブにはグリップ角度の情報が表示される。この情報は、グリップ１６及びゴルフクラブシャフト１２を切断したときの切断平面において、グリップ１６のバックライン１８が設けられたゴルフクラブシャフト周りの周上位置からゴルフクラブシャフト１２の中心軸を通る直線と、ゴルフクラブをライ角度通りに水平面上に置き、ゴルフクラブヘッド１４のフェース面に平行な水平線を切断平面に投影したときの投影線とを定めたとき、前記直線の向きが前記投影線の向きに対して成す角度である。この角度を用いてスライス方向の球筋を呈する、あるいはフック方向の球筋を呈するゴルフクラブとの評価が与えられる。【選択図】図４
2006247045.tif 000002
【特許請求の範囲】
【請求項１】
ゴルフクラブシャフトの先端部にゴルフクラブヘッドを装着し、ゴルフクラブシャフトの後端部にグリップを装着したゴルフクラブの評価方法であって、
前記グリップには、装着向きを特定するための特定部位が設けられており、
この特定部位の、前記ゴルフクラブヘッドのフェース面の向きに対する装着向きの情報を用いて、ゴルフクラブの特性評価を行うことを特徴とするゴルフクラブの評価方法。
【請求項２】
前記特定部位の装着向きの情報は、前記グリップのバックラインの向きの情報であり、
ゴルフクラブをライ角度通りに水平面上に置き、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブヘッドのフェース面上の水平線を前記切断平面に投影したときの投影線とを定めたとき、前記直線の向きが前記投影線の向きに対して成す角度を、前記バックラインの向きの情報として用いる請求項１に記載のゴルフクラブの評価方法。
【請求項３】
前記投影線の向きに対して前記直線の向きの成す角度は０以外の値であり、前記直線の向きがゴルフボールの飛球後方向に向く場合と、前記直線の向きがゴルフボールの飛球前方向に向く場合とで打ち出されたゴルフボールが異なる球筋を呈するゴルフクラブとして特性評価する請求項２に記載のゴルフクラブの評価方法。
【請求項４】
ゴルフクラブシャフトの先端部にゴルフクラブヘッドを装着し、ゴルフクラブシャフトの後端部にグリップを装着したゴルフクラブであって、
前記グリップには、装着向きを特定するための特定部位が設けられており、
この特定部位の、前記ゴルフクラブヘッドのフェース面の向きに対する装着向きの情報を用いて、特性評価が与えられていることを特徴とするゴルフクラブ。
【請求項５】
前記特定部位の装着向きの情報は、前記グリップのバックラインの向きの情報であり、
ゴルフクラブをライ角度通りに水平面上に置き、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブヘッドのフェース面上の水平線を前記切断平面に投影したときの投影線とを定めたとき、前記直線の向きが前記投影線の向きに対して成す角度を用いて、特性評価が与えられている請求項４に記載のゴルフクラブ。
【請求項６】
前記直線の向きが前記投影線の向きに対して成す角度の情報が表示されおり、前記特性評価は、打ち出されるゴルフボールの球筋に関するものである請求項５に記載のゴルフクラブ。
【請求項７】
前記角度は、正負の数値による角度の情報が表示されている請求項６に記載のゴルフクラブ。
【請求項８】
前記角度の情報は、この角度の情報とゴルフクラブの評価情報とが対応付けられた参照情報を参照することにより、特性評価が取得されるように表示されている請求項６に記載のゴルフクラブ。
【請求項９】
前記角度の情報を少なくとも用いてゴルフクラブの型式に対応させた請求項５〜８のいずれか１項に記載のゴルフクラブ。
【発明の詳細な説明】
【技術分野】
【０００１】
本発明は、ゴルフクラブシャフトの先端部にゴルフクラブヘッドを装着し、ゴルフクラブシャフトの後端部にグリップを装着したゴルフクラブの評価方法及びこの評価方法により評価されるゴルフクラブに関する。
【背景技術】
【０００２】
ゴルファにとって、打ち出したゴルフボールは曲がることなく、飛距離がでるゴルフクラブが望まれている。このため、ゴルフクラブには、自分のゴルフスウィングを知った上でゴルフクラブを選択するために、まず自分のゴルフスウィングを診断することが行われる。
【０００３】
下記特許文献１には、ゴルファ個人のゴルフスウィングを診断するシステムが提案されている。
このシステムは、クラブシャフトの長さ方向に間隔をあけた少なくとも２箇所と、ゴルファの頭・首・右肩・左肩・右肘・左肘・左手首・右手首・右腰・左腰・右膝・左膝・右足首・左足首・右足先・左足先から選ばれる少なくとも１箇所以上に色特定した基準点を設定し、ゴルファのゴルフスウィング時の動画像をカメラによって撮影し、このときのゴルフスウィング動画像を複数の静止画像に変換してコンピュータに記憶させ、複数の静止画像上の各基準点の座標データから、アドレスからインパクトまで間に設定した複数のスウィング姿勢でのチェックポイントを数値化し、予め入力されている理想値と比較してスウィング診断するものである。
【０００４】
上記システムにより、ゴルファのゴルフスウィングは診断できるものの、ゴルファ個々で異なり、かつゴルフボールの球筋にも影響を与えるゴルフクラブの握り方について診断するものではない。このため、自分のゴルフスウィングに適したゴルフクラブであって、ヘッドスピードが増大するものであっても、必ずしもグリップとの相性が良くなく、曲がり易い球筋を呈する場合も多い。
【０００５】
【特許文献１】特開２００４−３１３４７９号公報
【発明の開示】
【発明が解決しようとする課題】
【０００６】
本発明は、上記問題を解決するために、ゴルファがゴルフクラブを購入する際、各ゴルファのグリップの仕方あるいはゴルフボールの球筋に対応して適合するゴルフクラブを選択できるようにゴルフクラブの評価を行うゴルフクラブの評価方法及びゴルフクラブを提供することを目的とする。
【課題を解決するための手段】
【０００７】
本発明は、ゴルフクラブシャフトの先端部にゴルフクラブヘッドを装着し、ゴルフクラブシャフトの後端部にグリップを装着したゴルフクラブの評価方法であって、前記グリップには、装着向きを特定するための特定部位が設けられており、この特定部位の、前記ゴルフクラブヘッドのフェース面の向きに対する装着向きの情報を用いて、ゴルフクラブの特性評価を行うことを特徴とするゴルフクラブの評価方法を提供する。
【０００８】
前記特定部位とは、例えば前記グリップのバックラインであり、又はロゴマーク等の表示部位の中央部分である。
前記特定部位の装着向きの情報が、前記グリップのバックラインの向きの情報である場合、ゴルフクラブをライ角度通りに水平面上に置き、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブヘッドのフェース面上の水平線を前記切断平面に投影したときの投影線とを定めたとき、前記直線の向きが前記投影線の向きに対して成す角度を、前記バックラインの向きの情報として用いることが好ましい。
ここで、ゴルフクラブヘッドのフェース面上の水平線とは、ゴルフクラブを通常のアドレスポジションに（ライ角度通り設置した）状態における基準面（水平面）と平行なフェース面上の線を指す。この水平線は、一般的にはスコアラインで代用される。スコアラインはフェース面の基準を示すように設定されているものである。また、スコアラインが直線状でない等の場合には、通常のアドレスポジションに設置した状態において、フェース面状に基準面と平行になるような線を目印として付けてフェース面上の水平線とする。
【０００９】
その際、前記投影線の向きに対して前記直線の向きの成す角度は０以外の値であり、前記直線の向きがゴルフボールの飛球後方向に向く場合と、前記直線の向きがゴルフボールの飛球前方向に向く場合とで打ち出されたゴルフボールが異なる球筋を呈するゴルフクラブとして特性評価することが好ましい。
【００１０】
又、本発明は、ゴルフクラブシャフトの先端部にゴルフクラブヘッドを装着し、ゴルフクラブシャフトの後端部にグリップを装着したゴルフクラブであって、前記グリップには、装着向きを特定するための特定部位が設けられており、この特定部位の、前記ゴルフクラブヘッドのフェース面の向きに対する装着向きの情報を用いて、特性評価が与えられていることを特徴とするゴルフクラブを提供する。
【００１１】
前記特定部位の装着向きの情報は、前記グリップのバックラインの向きの情報であり、
ゴルフクラブをライ角度通りに水平面上に置き、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブヘッドのフェース面上の水平線を前記切断平面に投影したときの投影線とを定めたとき、前記直線の向きが前記投影線の向きに対して成す角度を用いて、特性評価が与えられていることが好ましい。
【００１２】
その際、前記直線の向きが前記投影線の向きに対して成す角度の情報が表示されおり、前記特性評価は、打ち出されるゴルフボールの球筋に関するものであることが好ましい。さらに、前記角度は、正負の数値による角度の情報が表示されていることが好ましい。
あるいは、前記角度の情報は、この角度の情報とゴルフクラブの評価情報とが対応付けられた参照情報を参照することにより、特性評価が取得されるように表示されていることも好ましい。
又、前記ゴルフクラブは、前記角度の情報を少なくとも用いてゴルフクラブの型式に対応させることも好ましい。
【発明の効果】
【００１３】
本発明では、グリップに設けられ、装着向きを特定するための特定部位の、ゴルフクラブヘッドのフェース面の向きに対する装着向きの情報を用いて（グリップ角度）を用いゴルフクラブの評価を行うので、ゴルファのフック方向又はスライス方向の球筋に応じて、自分に適したゴルフクラブか否かを効率よく判断することができる。また、このようなグリップ角度の情報がゴルフクラブに表示されているので、ゴルファが自分に適したゴルフクラブを、このグリップ角度の情報を目安にして簡単に選択することができる。
【発明を実施するための最良の形態】
【００１４】
以下、添付の図面に示す好適実施形態に基づいて、本発明のゴルフクラブの評価方法及びゴルフクラブを詳細に説明する。
【００１５】
図１（ａ）は、本発明のゴルフクラブの一例であるアイアンゴルフクラブ１０の斜視図である。アイアンゴルフクラブ１０は、ゴルフクラブシャフト１２と、ゴルフクラブシャフト１２の先端部に装着したゴルフクラブヘッド１４と、ゴルフクラブシャフト１２の後端部に装着したグリップ１６と、を有する。
【００１６】
図１（ｂ）は、図１（ａ）に示すＸ−Ｘ’線に沿って切断したときのゴルフクラブ１０の断面図である。ゴルフクラブシャフト１２の周りを取り巻くように、グリップ１６が設けられており、グリップ１６の外周の一部には、部分的に突出した突部が設けられている。この突部はゴルフクラブシャフト１２の長手方向の同じ周上位置に設けられてバックライン１８を形成する。このバックライン１８は、図１（ｃ）に示すように、装着前のグリップ１６の内周面の一部分が平坦部２０を成しており、ゴルフクラブシャフト１２を装着することによってバックライン１８が凸状に形成されるようになっている。バックライン１８は、グリップ１６の、ゴルフクラブシャフト１２への装着の際、装着向きを特定するための特定部位である。
【００１７】
図２（ａ），（ｂ）は、グリップ１６の詳細を示す図である。図２（ａ）,（ｂ）には、Ｙ−Ｙ’線に沿って切断した切断図も示されている。
図２（ａ）では、グリップ１６の表面に表示部が設けられており、下側にロゴマーク「ＡＢＣＤ」が表示されている。「ＡＢＣＤ」が表示されている側を周上位置０度とし、上側にロゴマーク「ＡＢＣＤ」が設けられている側を周上位置１８０度とすると、図２（ａ）における平坦部２０は、１８０度の周上位置より図中左側に設けられている。
一方、図２（ｂ）では、平坦部２０は、１８０度の周上位置より右側に設けられている。図２（ａ），（ｂ）中の直線Ｌが０度の直線と成す角度をグリップ角度θとしている。
【００１８】
グリップ１６は、ゴルフクラブシャフト１２に装着されており、その際、グリップ１６は、下側にロゴマーク「ＡＢＣＤ」が表示されている表示部の中央とゴルフクラブシャフト１２の中心軸とを結ぶ直線の向きが、ゴルフクラブシャフト１２の中心軸に垂直に切断したときの切断平面上に投影したときの、ゴルフクラブヘッド１４のスコアラインの向き又はリーディングエッジの向きと平行になるように、ゴルフクラブシャフト１２に装着されている。
【００１９】
このようなゴルフクラブ１０は、図３に示される計測装置３０において、ゴルフクラブヘッド１４のフェース面におけるスコアラインの向き又はリーディングエッジの向きと、バックライン１８の突出部の周上位置とを計測することができる。具体的には、ゴルフクラブシャフト１２を平面Ａ上に設けられた支持部材３５で回転自在に支持しつつ、グリップ１６の端に角度目盛り板３３を配置する。符号３４は目盛り指示板である。
パット部材３１は、図３に示すように、平面Ａに平行なＸ方向に移動可能であり、さらに平面Ａに対して傾斜角度を持つようにＣ方向に揺動可能に構成されている。
まず、パット部材３１を、Ｃ方向に揺動させてゴルフクラブヘッド１４のライ角度に合うようにして傾斜角度を固定し、パット部材３１をＸ方向に移動させつつ、パット部材３１の平面とフェース面１４ｂがぴったりと一致するようにゴルフクラブシャフト１２を回転させて、フェース面１４ｂのスコアライン１５が鉛直方向に向くようにし、このときの角度目盛り板３３の目盛りを読み取る（角度Ａ）。
【００２０】
さらに、レーザ外径測定器３８を用いて、グリップ１６の端から１２０ｍｍの位置の外径を、ゴルフクラブシャフト１２を１周回転させることにより計測する。処理装置３９にて計測結果を表示して、バックライン１８の突出部の部分を求め、この部分の中央の位置の角度目盛り板３３の目盛りを読み取る（角度Ｂ）。レーザ外径測定器３８によって求めた最大の外径の示す部分の向きがバックラインの突出部の向きである。
【００２１】
こうして、読み取られた角度Ａと角度Ｂとから、バックライン１８と、フェース面に設けられたスコアラインの向きとの間の成す角度（グリップ角度）を求めることができる。すなわち、グリップ１６及びゴルフクラブシャフト１２を切断したときの切断平面において、グリップ１６のバックライン１８が設けられたゴルフクラブシャフト１２周りの周上位置からゴルフクラブシャフト１２の中心軸を通る直線Ｌと、ゴルフクラブヘッド１４のフェース面に設けられているスコアラインに平行な直線を前記切断平面に投影したときの投影線とを定めたとき、直線Ｌの向きが投影線の向きに対して成すグリップ角度を算出することができる。
なお、バックライン１８の中央とは、グリップ１６の中心軸から最も離れている位置である。また、グリップ角度を求める際にバックライン１８が捩れて一定のグリップ角度をなしていない場合もある。この場合は、グリップ１６の端部よりグリップ１６の中心軸の方向に沿った１２０ｍｍの位置におけるバックライン１８の中央の位置を基準にしてグリップ角度を求めればよい。
【００２２】
すなわち、グリップ角度は、図４（ａ），（ｂ）に示すように、ゴルフクラブ１０をライ角度通りに水平な基準面（水平面）Ｈ上に置き、グリップ１６及びゴルフクラブシャフト１２をゴルフクラブシャフト１２の中心軸ＣＬに垂直に切断したときの切断平面において、バックライン１８が設けられたゴルフクラブシャフト周りの周上位置からゴルフクラブシャフト１２の中心軸を通る直線と、ゴルフクラブヘッド１４のフェース面上の水平線（スコアラインに平行な直線）を切断平面に投影したときの投影線とを定めたとき、前記直線の向きが投影線の向きに対して成す角度をいう。
ゴルフクラブヘッド１４のフェース面上の水平線とは、ゴルフクラブ１０を通常のアドレスポジションに設置した（ライ角度通り設置した）状態における基準面（水平面）Ｈと平行なフェース面１４ｂ上の直線を指す。この水平線は、一般的にはスコアライン又はスコアライン１５に平行な直線で代用される。スコアライン１５はフェース面１４ｂの基準を示すように設定されているものである。また、スコアライン１５が直線状でない等の場合には、通常のアドレスポジションに設置した状態において、フェース面１４ｂ上に基準面Ｈと平行になるような線を目印として付けてフェース面１４ｂ上の水平線とすることができる。
【００２３】
ここで、ゴルフクラブ１０を通常のアドレスポジションに設置するとは、ゴルフクラブヘッド１４をライ角度通りに設置し、かつ、図４（ａ），（ｂ）に示すようにゴルフクラブ１０のゴルフクラブシャフトの中心軸ＣＬとリーディングエッジ１４ａとが互いに平行になるように、又スコアライン１５と平行になるように設置することをいう。ライ角度通りに設置とは、ソール部のラウンドと基準面Ｈとのなす隙間がトウ側及びヒール側にて略等しくなる状態に設置することをいう。ソール部のラウンドが不明瞭な場合は、フェース面１４ｂに描かれるスコアライン１５（図４（ａ），（ｂ）参照）が基準面Ｈに平行になるように設置してもよい。ソール部のラウンドが不明瞭でかつスコアラインが直線状でない等により基準面Ｈとの平行が判別できない場合は、ライ角度は、ライ角度（度）＝（１００−クラブ長さ（インチ））にて設定される。例えば、４０インチのクラブ長さであれば、ライ角度は１００−４０＝６０度になる。又、スコアラインが直線状でない場合、ゴルフクラブシャフトの中心軸ＣＬとリーディングエッジ１４ａとが互いに平行になるとは、フェースアングルが０度の状態を指し、これに代用される。
【００２４】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
アドレスポジションにおいて、リーディングエッジ１４ａの方向はフェース面が指す方向と直角な方向に設定される。
【００２５】
上述のようにフェース面１４ｂの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００２６】
このようにしてグリップ１６及びゴルフクラブシャフト１２を切断したときの切断平面において規定され、算出される直線Ｌ（図２（ａ），（ｂ）参照）の向きがスコアライン１５の向きに対して成すグリップ角度θが、０度のときは、図５（ａ）に示すように、スコアライン１５に平行な直線Ｓの向きと、バックライン１８の周上位置からゴルフクラブシャフト１２の中心軸へ結ぶ直線Ｌの向きとは平行である。
しかし、グリップ角度θ＜０度のときは、図５（ｂ）に示すようにスコアライン１５に平行な直線Ｓと直線Ｌは非平行となる。同様に、グリップ角度θ＞０度のときは、図５（ｃ）に示すようにスコアライン１５に平行な直線Ｓと直線Ｌは非平行となる。
【００２７】
なお、凸状のバックライン１８は、ゴルファがグリップ１６を握る際、指（特に中指、薬指）の腹でゴルフクラブを支持する際の手がかりとし、これに基づいてアドレス状態を決定する。したがって、トップの状態からアドレス状態に戻るときのインパクト時において、グリップ角度θ＝０度の場合は、フェース面はスクエアとなる。一方、グリップ角度θ＜０度の場合は、図５（ｂ）に示すようにフェース面が開く。反対に、グリップ角度θ＞０度の場合は、図５（ｂ）に示すように、フェース面が閉じる。ゴルフボールの飛球線方向は、図中の下方向である。
したがって、このようなバックライン１８の配置により、フェース面をスクエア、開く、或いは閉じるように調整することもできる。また、グリップ角度θの値を変化させることで、フェース面の開き、閉じの程度を変えることもできる。
このような計測により、グリップ角度θの誤差を例えば１度以内にグリップ１６の向きを管理することもできる。
【００２８】
又、グリップ角度θ＞０として値を大きくするほど、フェース面は閉じる方向になるので、一般的には、右打ちのゴルファの場合打球が左方向（フック方向）に飛ぶ傾向が強くなる。逆に、グリップ角度θ＜０として値を小さくするほど、フェース面は開く方向になるので、一般的には、右打ちのゴルファの場合打球が右方向（スライス方向）に飛ぶ傾向が強くなる。したがって、フック傾向のゴルファは、グリップ角度θ＜０とするとフック傾向が緩和される傾向が出易く、スライス傾向のゴルファはグリップ角度θ＞０とすると、スライス傾向が緩和される傾向が出易い。
このように、グリップ角度θにより、ゴルフクラブが呈する打球の球筋の特性を評価することができる。このようなグリップ角度の情報をゴルフクラブに表示しておくことで、ゴルファは自分のグリップの仕方に応じて、又球筋（フック方向、スライス方向）に応じて、このグリップ角度の情報に基づいて自分に適したゴルフクラブを選択することができる。
【００２９】
図６〜８は、上記ゴルフクラブの評価方法にて評価されたゴルフクラブの、グリップ角度θに関する情報を表示した例である。
グリップ角度を把握するためには、正負の符号を用いる他に、例えば一般的な呼称であるフック、スライスを用いて、右打ちのゴルファの場合打球が左方向に飛ぶ傾向が強まるような所定のグリップ角度θの場合にはグリップ角度をフックθ度、右打ちのゴルファの場合打球が右方向に飛ぶ傾向が強まるような所定のグリップ角度θの場合にはグリップ角度をスライスθ度としたり、各アルファベットの頭文字を取って前記フックθ度をＨθ度、スライスθ度をＳθ度としてもよい。
【００３０】
図６（ａ）に示されるゴルフクラブは、グリップの基準方向が５度飛球線前方方向に向いているためグリップに「５」と表示されている。図６（ｂ）に示されるゴルフクラブは、グリップの基準方向が５度飛球線後方方向に向いているためグリップに「−５」と表示されている。ゴルファは、グリップに示される「５」という数値より、このゴルフクラブは右打ちのゴルファの場合打球が左方向に飛ぶ傾向が強まるようなグリップ角度を備えたゴルフクラブであることを認識することができる。また、グリップに示される「−５」という数値より、このゴルフクラブは右打ちのゴルファの場合打球が右方向に飛ぶ傾向が強まるようなグリップ角度を備えたゴルフクラブであることを認識することができる。
【００３１】
又、同様に、図６（ａ）のようなゴルフクラブの表示を、図７（ａ）に示すように「Ｈ５」と表示、図６（ａ）のようなゴルフクラブの表示を、図７（ｂ）に示すように「Ｓ５」と表示してもよい。「Ｈ５」とは、ＨＯＯＫ（フック）の頭文字を取ったものであり、「Ｓ５」とは、ＳＬＩＣＥ（スライス）の頭文字を取ったものである。例えばフェースアングルの表現においてもフックフェース、スライスフェース等と表現され、フックフェースの場合は右打ちのゴルファの場合打球が左方向に飛ぶ傾向が強まるようなゴルフクラブ、スライスフェースの場合は右打ちのゴルファの場合打球が右方向に飛ぶ傾向が強まるようなゴルフクラブであると一般的に認識されている。よってグリップ角度の情報においてもこのような表示をすることによってゴルファの認識を容易にすることが可能になる。以上の情報よりゴルファは自分の球筋の傾向に鑑みて最も好ましいグリップ角度を備えたゴルフクラブを選択することができる。
グリップ角度の情報は実際の角度、慣用的な表現と角度の組合わせの他、ゴルファが認識しその情報をもって自分に合うようなゴルフクラブを選択することが可能な文字、記号、図形、絵柄等でもよい。
【００３２】
グリップ角度の情報は前記のようにグリップ１６に表示される他に、ゴルフクラブの一部となる箇所に表示されていてもよい。ゴルフクラブの一部とは、ゴルフクラブシャフト、ゴルフクラブヘッド、グリップ、ソケット（フェルール）、グリップの端部の栓、ゴルフクラブシャフトに貼られたシール、ゴルフクラブヘッドに貼られたシールやゴルフクラブに付随したタグ等、主に視覚にて認識可能な一部分を指す。
【００３３】
図８（ａ）〜（ｅ）はゴルフクラブのグリップに得られやすい打球の方向性を示す絵柄が表示されている。この絵柄は右打ちのゴルファにおける上方（俯瞰方向）から見た打球の方向性である。
また、図９には、図８（ａ）〜（ｅ）に示すゴルフクラブに関する説明をした広告媒体を示す。この広告媒体には図８（ａ）〜（ｅ）に示すゴルフクラブ、「ＡＢＣＤシリーズ」というゴルフクラブのブランド名等ゴルフクラブを特定できる表示、そのゴルフクラブに表示された絵柄とグリップ角度の対応表、絵柄が右打ちのゴルファにおける上方から見た場合における得られる打球の方向性であることの説明が表示されている。つまり、絵柄はグリップ角度の情報とゴルフクラブの評価情報とが対応付けられた参照情報である。ゴルファは広告媒体に示される説明によって、図８（ａ）は打球が非常に左方向に飛ぶ傾向が強いグリップ角度を備えたゴルフクラブ、図８（ｂ）は打球が左方向に飛ぶ傾向が強いグリップ角度を備えたゴルフクラブ、図８（ｃ）は打球の左右方向の傾向が無いグリップ角度を備えたゴルフクラブ、図８（ｄ）は打球が右方向に飛ぶ傾向が強いグリップ角度を備えたゴルフクラブ、図８（ｅ）は打球が非常に右方向に飛ぶ傾向が強いグリップ角度を備えたゴルフクラブであるというような絵柄の意味を理解し、この表示された絵柄を目安にして広告媒体に示されるゴルフクラブの中から自分の球筋の傾向に鑑みて最も好ましいグリップ角度θを備えたゴルフクラブ、より詳しくは広告媒体に示されるゴルフクラブと同一型式のゴルフクラブを選択することが可能になる。
【００３４】
広告媒体は、ゴルフクラブメーカー又は販売会社等が発行もしくは作成するゴルフクラブの説明書、カタログ、店頭にて表示するポスター、パネル等、ＴＶのコマーシャル、販売促進用のビデオ、電気通信回線等による表示等が例示される。つまり、主に視覚により認識可能であって、グリップ角度に関して説明し、グリップ角度の情報、参照情報等の情報を表示するゴルフクラブを明示するものである。
尚、広告媒体には主にグリップ角度の情報が示されているが、その他にゴルフクラブの特性に関する情報等が示されていてもよいことはもちろんである。
【００３５】
図１０は「ＢＣＤＥ」というブランド名の「００１」、「００２」、「００３」という型式名のゴルフクラブに関する説明をした広告媒体が示されている。この広告媒体には「ＢＣＤＥ」及び「ＢＣＤＥ ００１」、「ＢＣＤＥ ００２」、「ＢＣＤＥ ００３」というゴルフクラブのブランド名、型式名等ゴルフクラブを特定できる表示がされている。ゴルフクラブの型式「００１」、「００２」、「００３」は、それぞれ特定のグリップ角度に基づいてゴルフクラブが設計され、これに基づいて評価の与えられたことを理解することができる参照情報が表示されている。
なお、本発明における参照情報とは、本発明におけるグリップ角度の情報により評価が与えられる情報を認識するために参考となる情報を指す。
【００３６】
ゴルファは広告媒体に示される説明によってゴルファは広告媒体に示される説明によって、「ＢＣＤＥ ００１」は打球が右方向に飛ぶ傾向が強いグリップ角度を備えたゴルフクラブ、「ＢＣＤＥ ００２」は打球が若干右方向に飛ぶ傾向が強いグリップ角度を備えたゴルフクラブ、「ＢＣＤＥ ００３」は打球が若干左方向に飛ぶ傾向が強いグリップ角度を備えたゴルフクラブであるというような型式に対応したグリップ角度の関係を理解し、これらを目安にして広告媒体に示されるゴルフクラブの中から自分の打球傾向に鑑みて最も好ましいグリップ角度を備えたゴルフクラブ、より詳しくは広告媒体に示されるゴルフクラブと同一型式のゴルフクラブを選択することが可能になる。
【００３７】
広告媒体は、ゴルフクラブメーカー又は販売会社等が発行もしくは作成するゴルフクラブの説明書、カタログ、店頭にて表示するポスター、パネル等、ＴＶのコマーシャル、販売促進用のビデオ、電気通信回線等による表示等が例示される。つまり、主に視覚により認識可能であって、グリップ角度に関して説明し、グリップ角度の情報、参照情報等の情報を表示するゴルフクラブを明示するものである。
なお、広告媒体には主にグリップ角度の情報が示されているが、その他にゴルフクラブの特性に関する情報等が示されていてもよいことはもちろんである。
本発明におけるグリップ角度の情報は、実際に計測されたグリップ角度の実数をそのまま表示する他に、グリップ角度を示す値として、実数を一定の数値にて乗した数値、除した数値にて表示するものも含まれる。グリップ角度は、絶対的な数値のみに意義があるわけではないからである。例えば相対的な指数で表示するような情報でもよいし、一定の段階によって表示するような情報でもよい。また、グリップ角度の情報としては、数値による表示の他に文字、記号等による表示でもよい。
【００３８】
なお、本実施形態においては、グリップのバックラインを装着向きを定める特定部位とする。通常、ゴルファは、この装着向きを定めるバックラインを基準としてグリップを握る。本実施形態は、このことを利用してバックラインの周上位置を変えるものである。しかし、本発明においては、バックラインの替わりに、ロゴマーク等を表示する表示部を特定部位としてもよい。ゴルファはグリップのバックラインの替わりに、グリップに記されているロゴマークを基準としてグリップを握る場合も多いからである。通常グリップのロゴマークは、図２（ａ），（ｂ）に示すように、グリップの周上位置（０度、１８０度）に、表示部を設けているが、このロゴマークの周上位置をずらすことによって、通常通りにゴルファがグリップを握っても、ゴルフボールの球筋を変えることができる。
【００３９】
以上、本発明のゴルフクラブの評価方法及びゴルフクラブについて詳細に説明したが、本発明は上記実施形態に限定されず、本発明の主旨を逸脱しない範囲において、種々の改良や変更をしてもよいのはもちろんである。
【図面の簡単な説明】
【００４０】
【図１】（ａ）は、本発明のゴルフクラブの一例であるアイアンゴルフクラブの斜視図であり、（ｂ）は、（ａ）に示すＸ−Ｘ’線に沿って切断したときの断面図である。
【図２】（ａ），（ｂ）は、図１（ａ）に示すアイアンゴルフクラブのグリップの詳細を示す図である。
【図３】本発明のゴルフクラブの評価方法に用いる計測装置の例を示す図である。
【図４】（ａ），（ｂ）は、ゴルフクラブを通常のアドレスポジションに設置する状態を説明する図である。
【図５】（ａ）〜（ｃ）は、グリップ角度とゴルフクラブのフェース面の向きとの関係を説明する図である。
【図６】本発明のゴルフクラブにおけるグリップ角度の情報の表示例を説明する図である。
【図７】本発明のゴルフクラブにおけるグリップ角度の情報の表示例を説明する図である。
【図８】本発明のゴルフクラブにおけるグリップ角度の情報の表示例を説明する図である。
【図９】本発明のゴルフクラブにおけるグリップ角度の情報を説明する広告媒体の例を示す図である。
【図１０】本発明のゴルフクラブにおけるグリップ角度の情報を説明する広告媒体の例を示す図である。
【符号の説明】
【００４１】
１０  アイアンゴルフクラブ
１２  ゴルフクラブシャフト
１４  ゴルフクラブヘッド
１４ａ  リーディングエッジ
１４ｂ  フェース面
１５  スコアライン
１６  グリップ
１８  バックライン
２０  平坦部
３０  計測装置
３１  パット部材
３２  リーディングエッジ
３３  角度目盛り板
３４  目盛り指示板
３５  支持部材
３９  処理装置
【図１】
2006247045.tif 000003
【図２】
2006247045.tif 000004
【図３】
2006247045.tif 000005
【図４】
2006247045.tif 000006
【図５】
2006247045.tif 000007
【図６】
2006247045.tif 000008
【図７】
2006247045.tif 000009
【図８】
2006247045.tif 000010
【図９】
2006247045.tif 000011
【図１０】
2006247045.tif 000012